(57)【要約】【課題】  一斉通話モードの無線端末が、対象外の通話エリアに移動していった場合、自動的に通話エリアを拡張することで、一斉通話を継続することを目的とする。【解決手段】  一斉通話モードに移行した無線端末３が、一斉通話対象外の通話エリア５ｂに移動していった場合、一斉通話チャネル４ｂを捕捉できなくなって、無線端末３が一斉通話の継続が不可であると判断した段階で、一斉通話対象外の通話エリア５ｂの制御（Ｃ）チャネル４ｃを通して無線端末３が通話拡張要求７を送信する。中央装置１は一斉通話を設定した一斉通話設定装置６まで通話拡張要求７を中継する。一斉通話設定装置６は通話拡張要求７を受信し、通話拡張要求７を最初に中継した中央装置１ｂがチャネルをアサイン可能な空きスロット（音声（Ｖ）チャネル４ｄ）へ、一斉通話チャネルの拡張を実行する。【選択図】        図１
2006324877.tif 000002
【特許請求の範囲】
【請求項１】
基地局に対し無線制御を行って前記基地局の通話エリアに一斉通話用のチャネルを設定するチャネル設定部を有する中央装置と、
前記中央装置により設定された一斉通話用のチャネルを利用して一斉通話を行う一斉通話部、前記一斉通話用のチャネルを設定された通話エリアから別の通話エリアに移動したことを検知する検知部、前記検知部により別の通話エリアに移動したことが検知された場合、移動先の通話エリアへの一斉通話用のチャネルの設定を要求する通話拡張要求を送信する送信部を有する無線端末と、
通話エリアを指定し、前記中央装置に対して指定した通話エリアに一斉通話用のチャネルを設定することを命令する命令部、前記無線端末により送信された通話拡張要求を受信する受信部、前記受信部により受信された通話拡張要求に応じて前記移動先の通話エリアに一斉通話用のチャネルを設定することを前記命令部に命令させるエリア拡張部を有する一斉通話設定装置とを備え、
前記中央装置のチャネル設定部は、前記一斉通話設定装置の命令に応じて前記移動先の通話エリアに一斉通話用のチャネルを設定し、
前記無線端末の一斉通話部は、前記中央装置により前記移動先の通話エリアに設定された一斉通話用のチャネルを利用して一斉通話を行うことを特徴とする移動通信システム。
【請求項２】
前記無線端末は、さらに、
呼出を受けた場合、前記呼出に対する応答を送信する応答部を有し、
前記一斉通話設定装置の命令部は、前記中央装置に対して指定した通話エリアに設定された一斉通話用のチャネルを解放することを命令し、
前記一斉通話設定装置は、さらに、
前記無線端末に対して前記呼出を行い、前記無線端末により送信された前記呼出に対する応答を受信する呼出部、前記呼出部により前記呼出に対する応答が一定期間受信されなかった場合、前記移動先の通話エリアに設定された一斉通話用のチャネルを解放することを前記命令部に命令させるエリア解除部を有し、
前記中央装置は、さらに、
前記一斉通話設定装置の命令に応じて前記移動先の通話エリアに設定された一斉通話用のチャネルを解放するチャネル解放部を有することを特徴とする請求項１に記載の移動通信システム。
【請求項３】
前記無線端末の検知部は、前記一斉通話部により利用されていた一斉通話用のチャネルを捕捉できなくなった場合、別の通話エリアに移動したと判断することを特徴とする請求項１に記載の移動通信システム。
【請求項４】
前記無線端末の一斉通話部は、プレストークにより一斉通話を行うことを特徴とする請求項１に記載の移動通信システム。
【請求項５】
一斉通話の設定を行う一斉通話設定装置と、前記一斉通話設定装置と接続される中央装置と、前記中央装置と接続される基地局と、前記基地局と無線通信を行う無線端末とを備える移動通信システムを用いて一斉通話を行う移動通信方法において、
前記一斉通話設定装置が、通話エリアを指定し、前記中央装置に対して指定した通話エリアに一斉通話用のチャネルを設定することを命令する命令ステップと、
前記中央装置が、前記命令ステップにより指定された通話エリアの基地局に対し無線制御を行って、指定された通話エリアに一斉通話用のチャネルを設定するチャネル設定ステップと、
前記無線端末が、前記チャネル設定ステップにより設定された一斉通話用のチャネルを利用して一斉通話を行う一斉通話ステップと、
前記無線端末が、前記一斉通話用のチャネルを設定された通話エリアから別の通話エリアに移動したことを検知する検知ステップと、
前記無線端末が、前記検知ステップにより別の通話エリアに移動したことが検知された場合、移動先の通話エリアへの一斉通話用のチャネルの設定を要求する通話拡張要求を送信する送信ステップと、
前記一斉通話設定装置が、前記送信ステップにより送信された通話拡張要求を受信する受信ステップと、
前記一斉通話設定装置が、前記受信ステップにより受信された通話拡張要求に応じて前記中央装置に対して前記移動先の通話エリアに一斉通話用のチャネルを設定することを命令し、前記中央装置が、前記一斉通話設定装置の命令に応じて前記移動先の通話エリアに一斉通話用のチャネルを設定し、前記無線端末が、前記移動先の通話エリアに設定された一斉通話用のチャネルを利用して一斉通話を行うエリア拡張ステップとを備えることを特徴とする移動通信方法。
【請求項６】
基地局の通話エリアを指定し、基地局に対し無線制御を行う中央装置に対して指定した通話エリアに一斉通話用のチャネルを設定することを命令する命令部と、
前記中央装置により設定された一斉通話用のチャネルを利用して一斉通話を行う無線端末が前記一斉通話用のチャネルを設定された通話エリアから別の通話エリアに移動した場合に送信される信号であって前記無線端末が移動先の通話エリアへの一斉通話用のチャネルの設定を要求する通話拡張要求を受信する受信部と、
前記受信部により受信された通話拡張要求に応じて前記移動先の通話エリアに一斉通話用のチャネルを設定することを前記命令部に命令させるエリア拡張部とを備えることを特徴とする一斉通話設定装置。
【請求項７】
基地局に対し無線制御を行う中央装置により基地局の通話エリアに設定された一斉通話用のチャネルを利用して一斉通話を行う一斉通話部と、
前記一斉通話用のチャネルを設定された通話エリアから別の通話エリアに移動したことを検知する検知部と、
前記検知部により別の通話エリアに移動したことが検知された場合、移動先の通話エリアへの一斉通話用のチャネルの設定を要求する通話拡張要求を送信する送信部とを備え、
前記一斉通話部は、
前記送信部により送信された通話拡張要求に応じて前記中央装置により前記移動先の通話エリアに設定された一斉通話用のチャネルを利用して一斉通話を行うことを特徴とする無線端末。
【発明の詳細な説明】
【技術分野】
【０００１】
この発明は、移動通信システムに関するものである。特に、プレストークによる一斉通話機能を有する移動通信システムにおける自動ゾーン拡張方式に関するものである。
【背景技術】
【０００２】
従来の一斉通話機能を有する移動通信システムでは、一般の通話チャネルを一斉通報に兼用していた（例えば、特許文献１参照。）。
【特許文献１】特開平０６−３３４５８６号公報
【発明の開示】
【発明が解決しようとする課題】
【０００３】
従来のプレストークによる一斉通話機能を有する移動通信システムでは、あらかじめ設定された一斉通話を行うゾーン（通話ゾーン、通話エリア、又は通信エリアともいう。）外に一斉通話対象に設定された無線端末が移動していった場合、無線端末は一般通話モードに外れてしまい、そもそも無線端末の移動に合わせて通話エリアを拡張したり、解除したりする機能がない。
【０００４】
図１１に従来の移動通信システムにおける一斉通話（一斉通信ともいう。）のシステム構成を示す。１は中央装置で移動通信システムのゾーンの統制を司る装置であり制御単位（県単位）に設置されており、中央装置１間は接続されて互いに制御／監視情報のやりとりを行う。２は基地局で無線回線を収容し通話ゾーンを構成する。本図の例では、基地局２ａ、２ｂは、周波数ｆ１、ｆ２の通話エリアを構成している。また、基地局２ｃ、基地局２ｄは、周波数ｆ３、ｆ４の通話エリアを構成している。３は無線端末である。４は無線回線上（本図ではＴＤＭＡ（Ｔｉｍｅ  Ｄｉｖｉｓｉｏｎ  Ｍｕｌｔｉｐｌｅ  Ａｃｃｅｓｓ：時分割多元接続）を一例としている。）に設定（本図ではＴＤＭＡの例を用いているためスロットアサイン）されているチャネルの概念を示すものでＣは制御チャネル、Ｖは音声チャネル、Ｓは一斉通話が設定されたチャネルを示している（４は各スロットに割り当てられるチャネルを表すが、以下では、場合によって同一周波数で時分割されるチャネルの集合を表す。）。５は基地局２によって構築される通話エリア（サービスエリア）を示す。６は一斉通話設定装置であり一斉通話を行う無線端末３と通話エリア５ａを設定する。
【０００５】
次に動作について説明する。一斉通話設定装置６から一斉通話を行う無線端末３と通話エリア５ａが設定されると、中央装置１ａは指定された通話エリア５ａに一斉通話用のチャネル４ｂをアサインし、無線端末３を呼び出し一斉通話に参入させる。無線端末３は、一斉通話モードに移行し一斉通話チャネル４ｂを捕捉して一斉通話を行う。ここで、従来の移動通信システムにおける一斉通話では、いったん一斉通話モードに移行した無線端末が、一斉通話対象外の通話エリア５ｂに移動していった場合、一斉通話チャネル４ｂを捕捉できなくなるため、一斉通話モードから離脱してしまうことによって、再度、一斉通話設定装置６から、通話エリア５ｂを追加設定する必要があった。
【０００６】
この発明は、一斉通話モードの無線端末が、対象外の通話エリアに移動していった場合、自動的に通話エリアを拡張することで、一斉通話を継続することを目的とする。
【課題を解決するための手段】
【０００７】
本発明の移動通信システムは、
基地局に対し無線制御を行って前記基地局の通話エリアに一斉通話用のチャネルを設定するチャネル設定部を有する中央装置と、
前記中央装置により設定された一斉通話用のチャネルを利用して一斉通話を行う一斉通話部、前記一斉通話用のチャネルを設定された通話エリアから別の通話エリアに移動したことを検知する検知部、前記検知部により別の通話エリアに移動したことが検知された場合、移動先の通話エリアへの一斉通話用のチャネルの設定を要求する通話拡張要求を送信する送信部を有する無線端末と、
通話エリアを指定し、前記中央装置に対して指定した通話エリアに一斉通話用のチャネルを設定することを命令する命令部、前記無線端末により送信された通話拡張要求を受信する受信部、前記受信部により受信された通話拡張要求に応じて前記移動先の通話エリアに一斉通話用のチャネルを設定することを前記命令部に命令させるエリア拡張部を有する一斉通話設定装置とを備え、
前記中央装置のチャネル設定部は、前記一斉通話設定装置の命令に応じて前記移動先の通話エリアに一斉通話用のチャネルを設定し、
前記無線端末の一斉通話部は、前記中央装置により前記移動先の通話エリアに設定された一斉通話用のチャネルを利用して一斉通話を行うことを特徴とする。
【発明の効果】
【０００８】
本発明では、無線端末が一斉通話用のチャネルを設定された通話エリアから別の通話エリアに移動したことを検知した場合、通話拡張要求を送信し、一斉通話設定装置が通話拡張要求に応じて中央装置に命令し、中央装置が命令に応じて無線端末の移動先の通話エリアに一斉通話用のチャネルを設定し、無線端末がこの一斉通話用のチャネルを利用して一斉通話を行うことにより、一斉通話モードの無線端末が、対象外の通話エリアに移動していった場合、自動的に通話エリアを拡張することで、一斉通話を継続することが可能となる。
【発明を実施するための最良の形態】
【０００９】
以下、図面に従って、本発明の実施の形態について説明する。
【００１０】
実施の形態１．
図１は、本発明の実施の形態１に係る移動通信システムの構成を示す図である。以下では、図１１との差異について説明する。
【００１１】
７は一斉通話対象外の通話エリア５ｂに移動していった無線端末３から送信する「通話拡張要求」信号である。
【００１２】
図２は、本実施の形態に係る中央装置の構成を示すブロック図である。中央装置１は、通信部１０１、制御部１０２、記憶部１０３、チャネル設定部１０４を有する。
【００１３】
通信部１０１は他の中央装置１、基地局２、一斉通話設定装置６と通信を行う。制御部１０２は各部を制御する。記憶部１０３は各部の設定情報、通信データ、処理結果などを記憶する。チャネル設定部１０４は一斉通話設定装置６の命令に応じて基地局２に対し無線制御を行って基地局２の通話エリア５に一般通話用のチャネル４を設定する。チャネル設定部１０４は基地局２に対し無線制御を行って基地局２の通話エリア５に一般通話用のチャネル４を設定してもよい。
【００１４】
図３は、本実施の形態に係る無線端末の構成を示すブロック図である。無線端末３は、通信部３０１、制御部３０２、記憶部３０３、入力部３０４、出力部３０５、一斉通話部３０６、検知部３０７、送信部３０８を有する。
【００１５】
通信部３０１は基地局２と無線通信を行う。制御部３０２は各部を制御する。記憶部３０３は各部の設定情報、通信データ、処理結果などを記憶する。入力部３０４は例えばプレストークの場合、利用者の音声を入力する。出力部３０５は例えばプレストークの場合、通話の相手の音声を出力する。一斉通話部３０６は中央装置１により設定された一斉通話用のチャネル４を利用して一斉通話を行う。検知部３０７は一斉通話用のチャネル４を設定された通話エリア５から別の通話エリア５に移動したことを検知する。送信部３０８は検知部３０７により別の通話エリア５に移動したことが検知された場合、移動先の通話エリア５への一斉通話用のチャネル４の設定を要求する通話拡張要求７を送信する。
【００１６】
図４は、本実施の形態に係る一斉通話設定装置の構成を示すブロック図である。一斉通話設定装置６は、通信部６０１、制御部６０２、記憶部６０３、命令部６０４、受信部６０５、エリア拡張部６０６を有する。
【００１７】
通信部６０１は中央装置１と通信を行う。制御部６０２は各部を制御する。記憶部６０３は各部の設定情報、通信データ、処理結果などを記憶する。命令部６０４は通話エリア５を指定し、中央装置１に対して指定した通話エリア５に一斉通話用のチャネル４を設定することを命令する。受信部６０５は無線端末３により送信された通話拡張要求７を受信する。エリア拡張部６０６は受信部６０５により受信された通話拡張要求７に応じて無線端末３の移動先の通話エリア５に一斉通話用のチャネル４を設定することを命令部６０４に命令させる。
【００１８】
図５は、本実施の形態における各装置の動作を示すフロー図である。以下、図１と合わせて説明する。
【００１９】
一斉通話設定装置６の命令部６０４から一斉通話を行う無線端末３と通話エリア５ａが設定されると（ステップＳ１０１：命令ステップ）、中央装置１ａのチャネル設定部１０４は指定された通話エリア５ａに一斉通話用のチャネル４ｂをアサインし（ステップＳ１０２）、無線端末３を呼び出し一斉通話に参入させる（ステップＳ１０３）（ステップＳ１０２〜Ｓ１０３：チャネル設定ステップ）。無線端末３の一斉通話部３０６は、中央装置１ａからの呼出に従って一斉通話モードに移行し一斉通話チャネル４ｂを捕捉して一斉通話を行う（ステップＳ１０４：一斉通話ステップ）。
【００２０】
一斉通話モードに移行した無線端末３が、一斉通話対象外の通話エリア５ｂに移動していった場合、例えば受信電界強度の低下や符号誤りの増加などにより一斉通話チャネル４ｂを捕捉できなくなって、無線端末３の検知部３０７が一斉通話の継続が不可である（一斉通話対象外の通話エリア５ｂに移動した）と判断した段階で（ステップＳ１０５：検知ステップ）、一斉通話対象外の通話エリア５ｂの制御（Ｃ）チャネル４ｃを通して無線端末３の送信部３０８が通話拡張要求７を送信する（ステップＳ１０６：送信ステップ）。中央装置１の通信部１０１は一斉通話を設定した一斉通話設定装置６まで通話拡張要求７を中継する（ステップＳ１０７：中継ステップ）。一斉通話設定装置６の受信部６０５は通話拡張要求７を受信し（ステップＳ１０８：受信ステップ）、一斉通話設定装置６のエリア拡張部６０６は、通話拡張要求７を最初に中継した中央装置１ｂのチャネル設定部１０４がチャネルをアサイン可能な空きスロット（音声（Ｖ）チャネル４ｄ）へ、一斉通話チャネルの拡張を実行する（ステップＳ１０９：エリア拡張ステップ）。
【００２１】
このようにして、一斉通話モードの無線端末３が、一斉通話対象外の通話エリア５ｂに移動していった場合、自動的に一斉通話対象の通話エリア５ａを拡張することで、一斉通話を継続することが可能になる。
【００２２】
従来の移動通信システムにおける一斉通話では、いったん一斉通話モードに移行した無線端末が、一斉通話対象外の通話エリアに移動していった場合、一斉通話モードから離脱してしまうことによって、再度、一斉通話設定装置から、通話エリアを追加設定する必要があった。本実施の形態では、無線端末が一斉通話チャネルを捕捉できなくなって一斉通話の継続が不可であると判断した段階で、通話拡張要求を送信し、一斉通話設定装置が、通話拡張要求があがった中央装置の空きスロットへ、一斉通話チャネルの拡張を実行することにより、自動的に通話エリアが拡張するため、無線端末が一斉通話を継続できる。このとき、一斉通話設定装置は無線端末の移動先がどこであるかを監視する必要はない。
【００２３】
実施の形態２．
図６は、本発明の実施の形態２に係る移動通信システムの構成を示す図である。基本的な構成は実施の形態１と同様であり、さらに自動的にゾーン拡張したエリアに一斉通話対象である無線端末が存在しなくなった場合に自動的に解除する機能について示したものである。
【００２４】
図７は、本実施の形態に係る中央装置の構成を示すブロック図である。以下では、図２との差異について説明する。
【００２５】
中央装置１は、チャネル解放部１０５を有する。チャネル解放部１０５は、一斉通話設定装置６の命令に応じて無線端末３の移動先の通話エリア５（実際には無線端末３はこの通話エリア５にはもう在圏していない。）に設定された一斉通話用のチャネル４を解放する。
【００２６】
図８は、本実施の形態に係る無線端末の構成を示すブロック図である。以下では、図３との差異について説明する。
【００２７】
無線端末３は、応答部３０９を有する。応答部３０９は呼出８を受けた場合、呼出８に対する応答を一斉通話設定装置６に送信する。
【００２８】
図９は、本実施の形態に係る一斉通話設定装置の構成を示すブロック図である。以下では、図４との差異について説明する。
【００２９】
命令部６０４は通話エリア５を指定し、中央装置１に対して指定した通話エリア５に設定された一斉通話用のチャネル４を解放することを命令する。また、一斉通話設定装置６は、エリア解除部６０７、呼出部６０８を有する。呼出部６０８は無線端末３に対して呼出を行い（呼出８を送信する。）、無線端末３により送信された呼出８に対する応答を受信する。エリア解除部６０７は呼出部６０８により呼出８に対する応答が一定期間受信されなかった場合、無線端末３の移動先の通話エリア５（実際には無線端末３はこの通話エリア５にはもう在圏していない。）に設定された一斉通話用のチャネル４を解放することを命令部６０４に命令させる。
【００３０】
本実施の形態では、一斉通話設定装置６から呼出部６０８が周期的に一斉通話エリア５ａ、５ｂの無線端末３の応答部３０９に対して呼出を行って所在を確認し、自動的にゾーン拡張した通話エリア５ｂに無線端末３が在圏しなくなった場合、エリア解除部６０７が、拡張した一斉通話チャネル４ｄを解除する。これにより、自動拡張でゾーンが広がるだけでなく無線端末の所在にともなって一斉通話エリアが最適化されるという効果がある。
【００３１】
図１０は、上記各実施の形態における各装置のハードウェア構成の一例を示す図である。
【００３２】
図１０において、中央装置１、無線端末３、一斉通話設定装置６は、プログラムを実行するＣＰＵ（Ｃｅｎｔｒａｌ  Ｐｒｏｃｅｓｓｉｎｇ  Ｕｎｉｔ）９１１を備えている。ＣＰＵ９１１は、制御部の一例である。ＣＰＵ９１１は、バス９１２を介してＲＯＭ９１３、ＲＡＭ９１４、通信ボード９１５、ＣＲＴ表示装置９０１、Ｋ／Ｂ９０２、マウス９０３、ＦＤＤ（Ｆｌｅｘｉｂｌｅ  Ｄｉｓｋ  Ｄｒｉｖｅ）９０４、磁気ディスク装置９２０、ＣＤＤ９０５、マイク９０６、スピーカ９０７と接続されている。
【００３３】
ＲＡＭ９１４は、揮発性メモリの一例である。ＲＯＭ９１３、ＦＤＤ９０４、ＣＤＤ９０５、磁気ディスク装置９２０は、不揮発性メモリの一例である。これらは、記憶装置あるいは記憶部の一例である。
【００３４】
通信ボード９１５は、図示していないアンテナ、ネットワークなどに接続されており、無線又は有線による通信機能を有する。
【００３５】
例えば、通信ボード９１５、Ｋ／Ｂ９０２、マイク９０６、ＦＤＤ９０４などは、入力部の一例である。また、例えば、通信ボード９１５、ＣＲＴ表示装置９０１、スピーカ９０７などは、出力部の一例である。
【００３６】
磁気ディスク装置９２０には、オペレーティングシステム（ＯＳ）９２１、ウィンドウシステム９２２、プログラム群９２３、ファイル群９２４が記憶されている。プログラム群９２３は、ＣＰＵ９１１、ＯＳ９２１、ウィンドウシステム９２２により実行される。
【００３７】
上記プログラム群９２３には、上記各実施の形態の説明において「〜部」として説明する機能を実行するプログラムが記憶されている。プログラムは、ＣＰＵ９１１により読み出され実行される。
【００３８】
ファイル群９２４には、上記各実施の形態の説明において、説明する様々な情報、データ、信号の内容が、ファイルとして記憶される。
【００３９】
また、上記各実施の形態の説明において説明するフロー図の矢印の部分は主としてデータの入出力を示し、そのデータの入出力のためにデータは、磁気ディスク装置９２０、ＦＤ（Ｆｌｅｘｉｂｌｅ  Ｄｉｓｋ）、光ディスク、ＣＤ（コンパクトディスク）、ＭＤ（ミニディスク）、ＤＶＤ（Ｄｉｇｉｔａｌ  Ｖｅｒｓａｔｉｌｅ  Ｄｉｓｋ）などのその他の記録媒体に記録される。あるいは、信号線やその他の伝送媒体により伝送される。
【００４０】
また、上記各実施の形態の説明において「〜部」として説明するものは、ＲＯＭ９１３に記憶されたファームウェアで実現されていても構わない。あるいは、ソフトウェアのみ、あるいは、ハードウェアのみ、あるいは、ソフトウェアとハードウェアとの組み合わせ、さらには、ファームウェアとの組み合わせで実施されても構わない。
【００４１】
また、上記各実施の形態を実施するプログラムは、磁気ディスク装置９２０、ＦＤ（Ｆｌｅｘｉｂｌｅ  Ｄｉｓｋ）、光ディスク、ＣＤ（コンパクトディスク）、ＭＤ（ミニディスク）、ＤＶＤ（Ｄｉｇｉｔａｌ  Ｖｅｒｓａｔｉｌｅ  Ｄｉｓｋ）などのその他の記録媒体による記録装置を用いて記憶されても構わない。
【産業上の利用可能性】
【００４２】
この発明の活用例として、プレストーク通話機能を有する移動通信システムに利用できる。
【図面の簡単な説明】
【００４３】
【図１】実施の形態１における一斉通話自動ゾーン拡張を示す構成図である。
【図２】実施の形態１に係る中央装置の構成を示すブロック図である。
【図３】実施の形態１に係る無線端末の構成を示すブロック図である。
【図４】実施の形態１に係る一斉通話設定装置の構成を示すブロック図である。
【図５】実施の形態１における各装置の動作を示すフロー図である。
【図６】実施の形態２における一斉通話自動ゾーン解除を示す構成図である。
【図７】実施の形態２に係る中央装置の構成を示すブロック図である。
【図８】実施の形態２に係る無線端末の構成を示すブロック図である。
【図９】実施の形態２に係る一斉通話設定装置の構成を示すブロック図である。
【図１０】実施の形態１及び２における各装置のハードウェア構成の一例を示す図である。
【図１１】従来の一斉通話を示す構成図である。
【符号の説明】
【００４４】
１  中央装置、２  基地局、３  無線端末、４  チャネル、５  通話エリア、６  一斉通話設定装置、７  通話拡張要求、８  呼出、１０１，３０１，６０１  通信部、１０２，３０２，６０２  制御部、１０３，３０３，６０３  記憶部、１０４  チャネル設定部、１０５  チャネル解放部、３０４  入力部、３０５  出力部、３０６  一斉通話部、３０７  検知部、３０８  送信部、３０９  応答部、６０４  命令部、６０５  受信部、６０６  エリア拡張部、６０７  エリア解除部、６０８  呼出部、９０１  ＣＲＴ表示装置、９０２  Ｋ／Ｂ、９０３  マウス、９０４  ＦＤＤ、９０５  ＣＤＤ、９０６  マイク、９０７  スピーカ、９１１  ＣＰＵ、９１２  バス、９１３  ＲＯＭ、９１４  ＲＡＭ、９１５  通信ボード、９２０  磁気ディスク装置、９２１  ＯＳ、９２２  ウィンドウシステム、９２３  プログラム群、９２４  ファイル群。
【図１】
2006324877.tif 000003
【図２】
2006324877.tif 000004
【図３】
2006324877.tif 000005
【図４】
2006324877.tif 000006
【図５】
2006324877.tif 000007
【図６】
2006324877.tif 000008
【図７】
2006324877.tif 000009
【図８】
2006324877.tif 000010
【図９】
2006324877.tif 000011
【図１０】
2006324877.tif 000012
【図１１】
2006324877.tif 000013